(57)【要約】【課題】エレベータの監視エリアが広域化し、運行監視に必要なデータが伝送障害で取得不能となり易いが、伝送路の２重化は設置スペース確保やコスト増加の問題があり、伝送路の信頼性を向上させることができない。【解決手段】撮影画像ｄ１から運行状況ｄ２を抽出する画像処理装置８と、運行データｄに基づいて運行状況を解析する監視情報構築手段５と、エレベータ制御装置との伝送路の異常を検出する伝送異常判定手段３と、エレベータ制御装置１からの運行データｄと画像処理装置８からの出力情報ｄ２との一方を選択して監視情報構築手段５に入力する情報入力切替え手段４と、監視情報構築手段５からの監視データＤを表示する監視画面表示手段６とを備え、伝送異常時には、データ取得先を監視カメラ７の撮影画像ｄ１から抽出したデータｄ２に切替えて監視を継続可能にする。【選択図】図２
2006117336.tif 000002
【特許請求の範囲】
【請求項１】
エレベータのかごをサービス階床の各乗場に運行制御するとともに運行監視に必要な運行データを出力するエレベータ制御装置を監視対象として、
前記エレベータのかご室内および乗場の少なくとも一方に設置されて、前記エレベータのかごの階床位置および走行方向を表示するインジケータと、
前記インジケータを撮影する監視カメラと、
前記監視カメラの撮影画像を確認しながら前記エレベータの運行状況を監視する監視手段とを備えたエレベータ監視装置であって、
前記監視手段は、
前記撮影画像から前記エレベータの運行状況を抽出する画像処理装置と、
前記運行データに基づいて前記エレベータの運行状況を解析する監視情報構築手段と、
前記エレベータ制御装置と前記監視手段との間のデータ伝送路の異常を検出する伝送異常判定手段と、
前記エレベータ制御装置からの運行データと前記画像処理装置からの出力情報との一方を選択して前記監視情報構築手段に入力する情報入力切替え手段と、
前記監視情報構築手段からの監視データを表示する監視画面表示手段とを含み、
前記情報入力切替え手段は、
前記伝送異常判定手段の判定結果が前記運行データの取得可能状態を示す場合には、前記運行データを前記監視情報構築手段に入力し、
前記伝送異常判定手段の判定結果が前記運行データの取得不能状態を示す場合には、データ取得先を前記画像処理手段に切替えて、前記画像処理手段からの出力情報を前記監視情報構築手段に入力することを特徴とするエレベータ監視装置。
【請求項２】
前記監視手段は、前記監視カメラのパン角度、チルト角度および画質の少なくとも１つの撮影条件を制御する撮影条件制御手段をさらに含み、
前記撮影条件制御手段は、前記伝送異常判定手段の判定結果に基づいて、前記監視カメラの撮影条件を通常の防犯監視用途から運行監視用途に変更することを特徴とする請求項１に記載のエレベータ監視装置。
【請求項３】
前記監視カメラは、前記エレベータのかご室内に設置されて、前記かご室内のインジケータを撮影し、
前記撮影条件制御手段は、
前記伝送異常判定手段の判定結果が前記運行データの取得可能状態を示す場合には、前記撮影条件を、前記かご室内の全体を撮影するための前記防犯監視用途に設定し、
前記伝送異常判定手段の判定結果が前記運行データの取得不能状態を示す場合には、前記撮影条件を、前記インジケータを撮影するための前記運行監視用途に設定することを特徴とする請求項２に記載のエレベータ監視装置。
【請求項４】
前記伝送異常判定手段は、
前記エレベータ制御装置からの運行データが取得できない場合に、前記運行データの再度の取得処理を実行する伝送リトライ手段を含み、
前記伝送リトライ手段による伝送リトライ回数が指定回数に達した時点で、前記データ伝送路の異常を示す判定結果を生成することを特徴とする請求項１から請求項３までのいずれか１項に記載のエレベータ監視装置。
【発明の詳細な説明】
【技術分野】
【０００１】
この発明は、エレベータかごの運行管理を行うエレベータ制御装置を監視するために、イメージデータ（運行状況）を撮影する監視カメラを備えたエレベータ監視装置に関し、特にデータ伝送路（以下、単に「伝送路」ともいう）の２重化などによる予備設備分のスペースや費用を追加することなく、通常使用している伝送路に異常が発生した場合でもエレベータに関する必要最小限の運行監視を継続することのできる新規な技術に関するものである。
【背景技術】
【０００２】
従来から知られている一般的なエレベータ監視装置においては、管理に必要な運行データをエレベータ制御装置から取得し、取得内容を解析してその結果を監視端末装置に表示することで、エレベータの運行監視を行っている。
しかし、近年では、大規模な都市開発にともなって、エレベータの監視エリアが広域化しつつあり、エレベータ制御装置から監視端末装置までの距離が延長されつつあることから、運行監視に必要な運行データが伝送路の障害で取得できない可能性も増加する傾向にある。
【０００３】
通常、伝送路の信頼性を向上させるためには、伝送路を２重化することが考えられるが、設置スペースの確保やコスト増加などの問題から実現できない場合が多い。
そこで、従来のエレベータ監視装置の一例として、監視カメラからエレベータかごの運行状況（位置や走行方向など）を監視する技術も提案されている（たとえば、特許文献１参照）。
【０００４】
【特許文献１】特開２００３−２３８０４０号公報
【発明の開示】
【発明が解決しようとする課題】
【０００５】
しかしながら、従来のエレベータ監視装置では、たとえば上記特許文献１に記載の技術によれば、監視カメラからの撮影画像のみに依存しているので、エレベータ制御装置からの運行データを取得する一般的なエレベータ監視装置と比べて、撮影画像から取得できる監視内容が少なく、高信頼性の監視能力を実現することができないという課題があった。
【０００６】
この発明は、上記のような課題を解決するためになされたもので、通常時にはエレベータ制御装置からの運行（監視用）データを取得することで詳細なエレベータの運行監視を実現し、伝送路に異常が発生した場合には、データ取得先を監視カメラの撮影画像から抽出した抽出データ（運行状況データ）に切替えることで、伝送路を２重化せずに、したがって予備設備分のスペースや費用を追加することなく、エレベータに関する必要最小限の運行監視を継続可能としたエレベータ監視装置を得ることを目的とする。
【課題を解決するための手段】
【０００７】
この発明によるエレベータ監視装置は、エレベータのかごをサービス階床の各乗場に運行制御するとともに運行監視に必要な運行データを出力するエレベータ制御装置を監視対象として、エレベータのかご室内および乗場の少なくとも一方に設置されて、エレベータのかごの階床位置および走行方向を表示するインジケータと、インジケータを撮影する監視カメラと、監視カメラの撮影画像を確認しながらエレベータの運行状況を監視する監視手段とを備えたエレベータ監視装置であって、監視手段は、撮影画像からエレベータの運行状況を抽出する画像処理装置と、運行データに基づいてエレベータの運行状況を解析する監視情報構築手段と、エレベータ制御装置と監視手段との間のデータ伝送路の異常を検出する伝送異常判定手段と、エレベータ制御装置からの運行データと画像処理装置からの出力情報との一方を選択して監視情報構築手段に入力する情報入力切替え手段と、監視情報構築手段からの監視データを表示する監視画面表示手段とを含み、情報入力切替え手段は、伝送異常判定手段の判定結果が運行データの取得可能状態を示す場合には、運行データを監視情報構築手段に入力し、伝送異常判定手段の判定結果が運行データの取得不能状態を示す場合には、データ取得先を画像処理手段に切替えて、画像処理手段からの出力情報を監視情報構築手段に入力するものである。
【発明の効果】
【０００８】
この発明によれば、伝送路の２重化などによる予備設備分のスペースや費用を追加することなく、通常使用している伝送路に異常が発生した場合でもエレベータに関する必要最小限の運行監視を継続することができる。
【発明を実施するための最良の形態】
【０００９】
実施の形態１．
以下、図面を参照しながら、この発明の実施の形態１に係るエレベータ監視装置について詳細に説明する。
図１はこの発明の実施の形態１に係るエレベータ監視装置の全体構成を概略的に示すブロック図であり、具体的な表示形態および処理形態の例を一部説明図で示している。
【００１０】
また、図２は図１内の監視端末装置を具体的に示すブロック図である。
図３はこの発明の実施の形態１による処理動作を示すフローチャートであり、監視端末装置がエレベータ制御装置との伝送状況に応じてエレベータの運行データ取得先を切替えて監視継続する動作を示している。
【００１１】
図１において、この発明の実施の形態１に係るエレベータ監視装置は、機械室１００と、機械室１００に接続された監視室２００およびエレベータかご室３００とにより構成されている。
【００１２】
機械室１００は、監視対象となるエレベータ制御装置１と、エレベータかご室３００から入力される撮影画像（後述する）を処理する画像処理装置８とを備えている。
エレベータ制御装置１は、エレベータかご室３００をサービス階床の各乗場に運行制御するとともに、運行監視に必要なエレベータかご室３００の運行データｄを生成する。
【００１３】
エレベータかご室（たとえば、１号機）３００は、監視カメラ７と、インジケータ１０とを備えている。
インジケータ１０は、エレベータかご室３００の運行状況（階床位置および走行方向など）を表示する。
監視カメラ７は、インジケータ１０を撮影可能に設置されており、撮影画像ｄ１をイメージデータとして機械室１００内の画像処理装置８に入力する。
【００１４】
監視室２００は、監視者が操作を行うための監視端末装置２を備えており、監視端末装置２は、機械室１００内の画像処理装置８と関連して、監視手段を構成している。
また、監視端末装置２は、エレベータ制御装置１および画像処理装置８をデータ取得源として、監視データを表示するための監視画面表示手段（後述する）を有し、後述するように、エレベータ制御装置１から伝送路を介して入力される運行データｄと、画像処理装置８の出力情報（抽出データｄ２）とを切替え表示するようになっている。
【００１５】
なお、図１においては、インジケータ１０の表示例、画像処理装置８による画像処理例および監視端末装置２（監視画面表示手段）の表示例が説明図として示されている。
この場合、インジケータ１０は、エレベータかご室３００が７階位置を上昇方向に走行中であることを示している。
また、インジケータ１０には、地震、火災または停電などの発生時に点灯する警報ランプと、１階から８階までの行先釦（かご呼び釦）とが設けられている。
【００１６】
一方、画像処理装置８においては、監視カメラ７から入力された撮影画像（撮影画像イメージ）ｄ１を画像処理することにより抽出データｄ２が取得される。
この場合、抽出データｄ２は、７階位置を上昇方向に走行中であることを示す運行状況と、警報ランプが無点灯（災害なし）の状態とを示している。
こうして、画像処理装置８は、監視カメラ７の撮影画像ｄ１から運行状況（階床位置や走行方向など）を示す抽出データｄ２を取得し、抽出データｄ２を出力情報として監視端末装置２に送出する。
【００１７】
さらに、監視端末装置２においては、エレベータ制御装置１からの運行データｄと、画像処理装置８からの抽出データｄ２とに基づいて、エレベータかご室３００の各号機（１号機、２号機、３号機、・・・）ごとに、各監視項目（伝送、状態、災害、位置、方向、負荷）のチェック結果がディスプレイ上に表示される。
【００１８】
この場合、１号機については、伝送情報源がカメラ（監視カメラ７）、災害なし且つ７階上昇方向であることが表示され、２号機については、伝送情報源がカメラ、火災発生且つ３階下降方向であることが表示され、３号機については、伝送情報源が制御盤（エレベータ制御装置１）、火災発生、２階下降方向、且つ負荷（乗客数）１０％であることが表示されている。
【００１９】
図２において、監視室２００内の監視端末装置２は、伝送異常判定手段３と、情報入力切替え手段４と、監視情報構築手段５と、監視画面表示手段６とを備えている。
伝送異常判定手段３は、エレベータ制御装置１との間のデータ伝送路の状態（伝送状態）を監視する。
【００２０】
情報入力切替え手段４は、伝送異常判定手段３の判定結果Ｈに応じて、エレベータかご室３００の運行監視に必要なデータ（運行データｄまたは抽出データｄ２）の取得先を切替える。
【００２１】
監視情報構築手段５は、情報入力切替え手段４を介した取得データ（運行データｄまたは抽出データｄ２）を解析し、監視対象となる監視データＤを構築して監視画面表示手段６に入力する。
これにより、監視画面表示手段６は、たとえば図１に示すように、監視データＤを表示する。
【００２２】
図２に示すように、画像処理装置８と関連して監視手段を構成する監視端末装置２は、エレベータ制御装置１との間のデータ伝送状態を監視する伝送異常判定手段３と、伝送異常判定手段３の判定結果Ｈに応じてデータ取得先をエレベータ制御装置１または画像処理装置８に切替える情報入力切替え手段４と、運行データｄ（または、運行状況データとなる抽出データｄ２）に基づいて運行状況を解析する監視情報構築手段５と、エレベータ制御装置１と監視端末装置２との間のデータ伝送路の異常を検出する伝送異常判定手段３と、エレベータ制御装置１からの運行データｄと画像処理装置８からの出力情報（抽出データ）ｄ２との一方を選択して監視情報構築手段５に入力する情報入力切替え手段４と、監視情報構築手段５からの監視データＤを表示する監視画面表示手段６とを備え、監視カメラ７の撮影画像ｄ１を確認しながら、エレベータかご室３００の運行状況を監視するようになっている。
【００２３】
情報入力切替え手段４は、伝送異常判定手段３の判定結果Ｈが運行データｄの取得可能状態を示す場合には、運行データｄを監視情報構築手段５に入力し、判定結果Ｈが運行データｄの取得不能状態を示す場合には、データ取得先を画像処理手段８に切替えて、画像処理手段８からの抽出データｄ２を監視情報構築手段５に入力する。
これにより、エレベータ制御装置１から監視端末装置２への伝送状況に応じて、エレベータかご室３００の運行データの取得先を切替えて、エレベータかご室３００の監視を継続することができる。
【００２４】
次に、図３のフローチャートを参照しながら、図１および図２に示した操作端末装置２による具体的な処理手順について説明する。
図３において、まず、監視端末装置２内の伝送異常判定手段３は、エレベータかご室３００の運行監視の元となる運行データｄ（階床位置や走行方向など）を、伝送路を介してエレベータ制御装置１から取得する（ステップＳ１００で）。
【００２５】
続いて、伝送路に異常がない（運行データｄを正常に取得できた）か否かを判定し（ステップＳ１０１）、運行データｄを正常に取得完了した（すなわち、ＹＥＳ）と判定されれば、情報入力切替え手段３は、データ取得先としてエレベータ制御装置１を選択し、エレベータ制御装置１から取得した運行データｄを監視情報構築手段５に入力し、伝送リトライ回数Ｎを０クリアして（ステップＳ１０２）、ステップＳ１０３に進む。
【００２６】
一方、ステップＳ１０１において、運行データｄの取得に失敗した（すなわち、ＮＯ）と判定されれば、続いて、運行データｄの伝送リトライ回数（カウンタ値）Ｎをチェックし、伝送リトライ回数Ｎが指定回数Ｋ（たとえば、３回）を超えたか否かを判定する（ステップＳ１１０）。
【００２７】
ステップＳ１１０において、Ｎ≦Ｋ（すなわち、ＮＯ）と判定されれば、伝送リトライ回数Ｎをカウントアップして（ステップＳ１１１）、再度の伝送リトライを実行するために、運行データｄの取得処理（ステップＳ１００）に戻る。
一方、ステップＳ１１０において、Ｎ＞Ｋ（すなわち、ＹＥＳ）と判定されれば、情報入力切替え手段３は、伝送異常状態であると見なしてリトライ処理アウトとし、運行状況データ（抽出データ）ｄ２の取得先として画像処理装置８を切替え選択し、画像処理装置８から取得した運行状況データｄ２を監視情報構築手段５に入力し（ステップＳ１１２）、ステップＳ１０３に進む。
【００２８】
ステップＳ１０３において、監視情報構築手段５は、入力された運行データｄまたは運行状況データｄ２から、監視データＤを構築して監視画面表示手段６に入力する。
これにより、監視画面表示手段６は、構築された監視データＤを画面に表示する（ステップＳ１０４）。
【００２９】
最後に、監視端末装置２は、監視室２００内の監視者からの監視終了要求の有無などから監視が終了したか否かを判定し（ステップＳ１０５）、監視終了（すなわち、ＹＥＳ）と判定されれば、図３の処理ルーチンを終了する。
一方、ステップＳ１０５において、監視が終了していない（すなわち、ＮＯ）と判定されれば、監視を継続するために、次の運行状況データ取得処理（ステップＳ１００）に戻り、上記処理を繰り返し実行する。
【００３０】
このように、監視端末装置２は、エレベータ制御装置１と監視端末装置２との間のデータ伝送路が正常の場合には、エレベータ制御装置１からの運行データｄに基づく監視データＤを表示し、伝送路に異常が発生した場合には、画像処理装置８からの運行状況データｄ２に基づく監視データＤを表示する。
【００３１】
これにより、伝送路に異常が発生したときでも、監視画面に伝送異常を表示して運行監視を中断するのではなく、監視カメラ７の撮影画像ｄ１からの抽出データｄ２に基づく監視データＤを表示することができ、運行監視を継続することができる。
【００３２】
また、伝送異常判定手段３は、エレベータ制御装置１からの運行データｄが取得できない場合に、運行データｄの再度の取得処理を実行する伝送リトライ手段を含み、伝送リトライ手段による伝送リトライ回数Ｎが指定回数Ｋに達した時点で、伝送路の異常を示す判定結果Ｈを生成し、判定結果Ｈに冗長性を持たせているので、一時的なノイズなどに起因した誤判定を回避することができる。
【００３３】
なお、上記実施の形態１では、エレベータかご室３００内に監視カメラ７を設置してインジケータ１０を撮影したが、同様のインジケータ（図示せず）を乗場に設置するとともに、乗場のインジケータ（運行状況）を撮影するための監視カメラを設置してもよい。
【００３４】
実施の形態２．
また、上記実施の形態１では、監視カメラ７の撮影条件を一定としたが、図４に示すように、伝送路状態（伝送異常判定手段３の判定結果Ｈ）に応じて、監視カメラ７Ａの撮影条件を変更してもよい。
以下、図面を参照しながら、伝送状態に応じて撮影条件を変更したこの発明の実施の形態２について説明する。
【００３５】
図４はこの発明の実施の形態２に係るエレベータ監視装置を示すブロック図である。
図５はこの発明の実施の形態２による具体的な処理手順を示すフローチャートであり、伝送異常が判定された際に、図４内の撮影条件制御手段９が監視カメラ７の撮影画像からより多くの運行状況データをより正確に抽出するために、監視カメラ７の撮影条件を変更するための動作を示している。
また、図６はこの発明の実施の形態２により設定される撮影条件の具体例（防犯監視用途の条件データｄ３、運行監視用途の条件データｄ４）を示す説明図である。
【００３６】
図４において、前述（図２参照）と同様のものについては、前述と同一符号を付して、または、符号の後に「Ａ」を付して詳述を省略する。
この場合も、監視カメラ７Ａは、エレベータかご室３００内に設置されて、かご室３００内のインジケータ１０（図１参照）を撮影するものとする。
【００３７】
機械室１００Ａ内の画像処理装置８Ａは、撮影条件制御手段９を有しており、撮影条件制御手段９は、伝送異常判定手段３の判定結果Ｈに基づいて、監視カメラ７Ａのパン角度やチルト角度、画質などの撮影条件を制御するようになっている。
なお、エレベータかご室３００内の構成は、図１に示した通りであり、監視室２００Ａ内の監視端末装置２Ａによる監視処理手順は、図３に示した通りである。
【００３８】
画像処理装置８Ａ内の撮影条件制御手段９は、判定結果Ｈに基づいてデータ取得先が画像処理装置８Ａに切替えられた際に、画像処理装置８Ａにおいて運行状況データｄ２の抽出を効率よく行うことができるように、監視カメラ７Ａのパン角度、チルト角度および画質の少なくとも１つの撮影条件を切替え制御する。
【００３９】
撮影条件制御手段９は、用途に応じた監視カメラ７Ａの設定情報を有し、伝送異常判定手段３の判定結果Ｈを情報切替え手段４Ａから取得し、監視カメラ７Ａの撮影条件を通常時の防犯監視用に使用している場合と、伝送異常時の運行監視用に使用している場合とで切替える。
【００４０】
すなわち、撮影条件制御手段９は、伝送路が正常であって判定結果Ｈが運行データｄの取得可能状態を示す場合には、監視カメラ７Ａの撮影条件を通常の防犯監視用途の条件データｄ３（たとえば、かご室３００内の全体を撮影）に設定し、伝送路が異常であって判定結果Ｈが運行データｄの取得不能状態を示す場合には、運行監視用途の条件データｄ４（たとえば、かご室３００内のインジケータ１０を撮影）に変更する。
【００４１】
図６において、防犯監視用途の条件データｄ３は、たとえば、かご室３００内の全体を見渡すことができるように、「０度」のパン（左右）角度、および、「０度」のチルト（上下）角度に設定され、且つ、広範囲の撮影でも監視対象物が認識できるように「低圧縮高画質」に設定される。
【００４２】
また、運行監視用途の条件データｄ４は、たとえばかご室３００内のインジケータ１０を中心に撮影することができるように、「−３０度」のパン角度、および、「−２０度」のチルト角度に設定され、且つ、画像処理時間が短くなるように「高圧縮低画質」に設定される。
【００４３】
次に、図５および図６を参照しながら、図４に示したこの発明の実施の形態２による画像処理装置８Ａの具体的な処理手順（判定結果Ｈに応じて監視カメラ７Ａの撮影条件を変更）について説明する。
なお、操作端末装置２Ａによる監視継続動作（エレベータ制御装置１との伝送状況に応じてデータ取得先を切替える）については、前述（図３）と同様なので、ここでは説明を省略する。
【００４４】
図５において、まず、画像処理装置７Ａは、伝送異常判定手段３の判定結果Ｈを情報入力切替え手段４Ａから取得し（ステップＳ２００）、判定結果Ｈが伝送異常の発生を示しているか否かを判定する（ステップＳ２０１）。
【００４５】
ステップＳ２０１において、伝送異常が発生していない（すなわち、ＮＯ）と判定されれば、監視カメラ７Ａの撮影条件として防犯監視用途の条件データｄ３を選択し（ステップＳ２０２）、防犯監視用途の条件データｄ３を監視カメラ７Ａに対する撮影条件（図４内の２点鎖線参照）として設定する（ステップＳ２０３）。
このとき、防犯監視用途の条件データｄ３は、前述のように、かご室３００内の全体を見渡すことができるような角度に設定されるとともに、広範囲の撮影でも監視物が認識できるように「低圧縮高画質」に設定される。
【００４６】
一方、ステップＳ２０１において、判定結果Ｈが伝送異常の発生を示している（すなわち、ＹＥＳ）と判定されれば、監視カメラ７Ａの撮影条件として運行監視用途の条件データｄ４を選択し（ステップＳ２１０）、運行監視用途の条件データｄ４を監視カメラ７Ａに対する撮影条件（図４内の２点鎖線参照）として設定する（ステップＳ２０３）。
このとき、運行監視用途の条件データｄ４は、前述」のように、インジケータ１０を中心に撮影可能な角度に設定されるとともに、画像処理時間が短くなるように「高圧縮低画質」に設定される。
【００４７】
最後に、監視室２００Ａ内の監視者からの監視終了要求の有無などから監視が終了したか否かを判定し（ステップＳ２０４）、監視終了（すなわち、ＹＥＳ）と判定されれば、図５の処理ルーチンを終了する。
一方、ステップＳ２０４において、監視が終了していない（すなわち、ＮＯ）と判定されれば、監視を継続するために、次の判定結果Ｈの取得処理（ステップＳ２００）に戻り、上記処理を繰り返し実行する。
【００４８】
このように、エレベータ制御装置１と監視端末装置２Ａとの間の伝送路に異常が発生した場合に、監視カメラ７Ａから運行状況データｄ２を抽出する場合において、運行監視用途での撮影条件ｄ４で使用する際には、通常の防犯監視用途での撮影条件ｄ３とは無関係に撮影条件を適切に設定することにより、インジケータ１０を鮮明に撮影可能とすることができる。
また、通常の防犯監視用途での撮影条件ｄ３で使用する際に、監視カメラ７Ａがインジケータ１０を撮影していない状態でも、伝送異常が発生した場合には、エレベータかご室３００の運行状況を継続して監視することができる。
【図面の簡単な説明】
【００４９】
【図１】この発明の実施の形態１に係るエレベータ監視装置の全体構成を概略的に示すブロック図である。
【図２】この発明の実施の形態１に係るエレベータ監視装置の監視端末装置を具体的に示すブロック図である。
【図３】この発明の実施の形態１によるデータ取得先切替え動作時の処理手順を示すフローチャートである。
【図４】この発明の実施の形態２に係るエレベータ監視装置の監視端末装置および画像処理装置を具体的に示すブロック図である。
【図５】この発明の実施の形態２による撮影条件の切替え動作時の処理手順を示すフローチャートである。
【図６】この発明の実施の形態２により変更される撮影条件を示す説明図である。
【符号の説明】
【００５０】
１  エレベータ制御装置、２、２Ａ  監視端末装置、３  伝送異常判定手段、４、４Ａ  情報入力切替え手段、５  監視情報構築手段、６  監視画面表示手段、７、７Ａ  監視カメラ、８、８Ａ  画像処理装置、９  撮影条件制御手段、１０  インジケータ、３００  エレベータかご室、ｄ  運行データ、ｄ１  撮影画像、ｄ２  抽出データ（運行状況データ）、Ｄ  監視データ、Ｈ  判定結果、Ｋ  指定回数、Ｎ  伝送リトライ回数。
【図１】
2006117336.tif 000003
【図２】
2006117336.tif 000004
【図３】
2006117336.tif 000005
【図４】
2006117336.tif 000006
【図５】
2006117336.tif 000007
【図６】
2006117336.tif 000008